(57)【要約】【課題】無線携帯マルチメディアプレーヤーおよびその方法を提供する。【解決手段】無線携帯マルチメディアプレーヤーは、無線ネットワークモジュール、マルチメディア再生部、データ処理モジュール、および制御部を備える。マルチメディア再生部は、マルチメディアデータの再生に使用される。データ処理モジュールは、無線ネットワークモジュールと、マルチメディア再生部とに接続され、データ処理モジュールによって受信されたデータを制御、管理、および処理する。制御部は、無線ネットワークモジュールと、データ処理モジュールとに接続され、ユーザーからの操作コマンドに応じて、データ処理モジュールによって受信されたデータを制御、管理、および処理するようにデータ処理モジュールを制御する。さらに、制御部は、ユーザーからの操作コマンドに応じて、既定端末をリンクしてデータにアクセスするように、無線ネットワークモジュールを起動するか否かを決定する。【選択図】図２
2008301479.tif 000002
【特許請求の範囲】
【請求項１】
無線ネットワークモジュールと、
マルチメディアデータを再生するために使用されるマルチメディア再生部と、
前記無線ネットワークモジュールと前記マルチメディア再生部とに接続され、前記データ処理モジュールによって受信されたデータを制御、管理、および処理するためのデータ処理モジュールと、
前記無線ネットワークモジュールと、前記データ処理モジュールとに接続され、ユーザーからの操作コマンドに応じて、前記データ処理モジュールによって受信された前記データを制御、管理、処理するように、前記データ処理モジュールを制御するための制御部であって、前記ユーザーからの操作コマンドに応じて、既定端末をリンクしてデータにアクセスするように、前記無線ネットワークモジュールを作動するか否かを決定する制御部と
を備える、無線携帯マルチメディアプレーヤー。
【請求項２】
前記無線ネットワークモジュールが、
前記データ処理モジュールに接続された無線伝送モジュールと、
前記無線伝送モジュールと前記制御部とに接続され、前記既定端末をリンクしてデータを伝送するように、前記無線伝送モジュールを制御するネットワークモジュールと
を備える、請求項１に記載の無線携帯マルチメディアプレーヤー。
【請求項３】
前記データ処理モジュールと前記マルチメディア再生部との間に接続され、かつ前記制御部に接続され、前記データ処理モジュールの出力がマルチメディアデータであるか否かを判断するためのデータ判断モジュールであって、前記判断が肯定の場合、前記データ判断モジュールは、前記データを再生するための前記マルチメディア再生部に前記データを伝送し、前記判断が否定の場合、前記データ判断モジュールは、前記制御部が前記ユーザーからの操作コマンドに応じて前記データ判断モジュールによって伝送された前記データに関する操作を実行するように、前記データを前記制御部に伝送して実行結果を入手し、前記実行結果に応じて前記データを制御および管理するように前記データ処理モジュールをさらに制御する、データ判断モジュール
をさらに備える、請求項１に記載の無線携帯マルチメディアプレーヤー。
【請求項４】
前記既定端末の前記共有データのリンクパスを保存するために使用される仮想データシステムをさらに備える、請求項１に記載の無線携帯マルチメディアプレーヤー。
【請求項５】
前記データ処理モジュールに接続された、データを保存するための組み込みデータシステムをさらに備える、請求項４に記載の無線携帯マルチメディアプレーヤー。
【請求項６】
前記組み込みデータシステムおよび前記仮想データシステムのコンテンツ一覧を表示するための表示部をさらに備える、請求項５に記載の無線携帯マルチメディアプレーヤー。
【請求項７】
前記ユーザーによって入力された指示を受信して前記操作コマンドを生成するためのユーザーインターフェースをさらに備える、請求項１に記載の無線携帯マルチメディアプレーヤー。
【請求項８】
無線ネットワークの作動と、
既定端末とのネットワーク接続の確立と、
仮想データシステムにおけるコンテンツ一覧の読み込みと、
前記コンテンツ一覧における選択されたデータの読み込みと、
前記選択されたデータのフォーマットに応じた、前記選択されたデータの処理と
を含む、マルチメディアデータを再生し無線携帯マルチメディアプレーヤーのためのデータを読み込む方法。
【請求項９】
前記既定端末との前記ネットワーク接続の確立が、
前記既定端末のドメイン名の検索、または、前記既定端末のインターネットプロトコル（ＩＰ）アドレスの入力と、
ネットワーク接続構成の設定と
を含む、請求項８に記載の前記マルチメディアデータを再生し前記無線携帯マルチメディアプレーヤーのための前記データを読み込む方法。
【請求項１０】
前記選択されたデータの前記コンテンツ一覧からの読み込みが、
前記コンテンツ一覧からの前記選択されたデータの選択と、
前記既定端末からの前記選択されたデータの読み込みと
を含む、請求項８に記載の前記マルチメディアデータを再生し前記無線携帯マルチメディアプレーヤーのための前記データを読み込む方法。
【請求項１１】
前記選択されたデータのフォーマットに応じた前記データの処理が、
前記選択されたデータがマルチメディアフォーマットであるか否かの判断と、
前記選択されたデータが前記マルチメディアフォーマットである場合における、前記選択されたデータの再生と、
前記選択されたデータが前記マルチメディアフォーマットでない場合における、前記選択されたデータの処理形式に応じた、前記選択されたデータの処理と
を含む、請求項８に記載の前記マルチメディアデータを再生し前記無線携帯マルチメディアプレーヤーのためのデータを読み込む方法。
【請求項１２】
前記選択されたデータが前記マルチメディアフォーマットでない場合における、前記選択されたデータの前記処理形式に応じた前記選択されたデータの処理が、
前記選択されたデータの前記処理形式がコピーまたは削除であるか否かの判断と、
前記選択されたデータの前記処理形式がコピーまたは削除である場合における、前記仮想データシステムの設定の変更と、
前記選択されたデータの前記処理形式がコピーまたは削除でない場合における、前記選択されたデータの組み込みデータシステムへの保存と
を含む、前記マルチメディアデータを再生し前記無線携帯マルチメディアプレーヤーのためのデータを読み込む方法。
【請求項１３】
前記既定端末における前記共有コンテンツ一覧の閲覧と、
コンテンツの指定項目の前記仮想データシステムへの保存と
をさらに含む、前記マルチメディアファイルを再生し前記無線携帯マルチメディアプレーヤーのためのデータを読み込む方法。
【発明の詳細な説明】
【技術分野】
【０００１】
本発明は、携帯マルチメディアプレーヤーおよびその方法に関し、具体的には、無線携帯マルチメディアプレーヤーおよびその方法に関する。
【背景技術】
【０００２】
一般的な携帯マルチメディアプレーヤーは、プレーヤーの保存領域に保存されたマルチメディアデータの再生、あるいはメモリカードに保存されたマルチメディアデータの再生だけが可能である。パーソナルコンピュータまたはサーバーに保存されたマルチメディアデータを遠隔アクセスおよび直接再生するプレーヤーが製造されると、保存領域を十分確保することが可能で、ユーザーは、保存領域をパーソナルコンピュータまたはサーバーにまで拡張することが可能である。さらに、ユーザーは、マルチメディアデータを見る前にその都度マルチメディアデータをプレーヤーにダウンロードする必要がなくなる。したがって、この種類のプレーヤーはより利便性がある。
【０００３】
図１は、台湾特許番号第Ｉ２６７３１２号に開示される従来の無線マルチメディア再生システムの回路ブロック図である。無線マルチメディア再生システムは、マルチメディア装置１０と、マルチメディアセンター１１とを備える。マルチメディアセンター１１は、マルチメディアデータを提供するために使用される。マルチメディア装置１０は、マルチメディアセンター１１から提供されたマルチメディアデータを、無線ネットワーク１００を介して受け入れ、マルチメディアデータを再生する。
【０００４】
マルチメディアセンター１１は、無線ネットワーク１００を介してデータを伝送することができる信号伝送モジュール１１０と、信号処理モジュール１１１とをさらに備える。マルチメディア装置１０は、入力インターフェース１０１と、信号選択モジュール１０２と、信号伝送モジュール１０３と、信号処理モジュール１０４と、信号出力モジュール１０５と、音声・画像再生部１０６とを備える。入力インターフェース１０１は、指定されたマルチメディアデータを受け入れる指示を入力するために使用される。信号選択モジュール１０２は、その入力された要求に応じて、マルチメディアデータに対応する信号源を選択するために使用される。信号伝送モジュール１０３は、信号選択モジュール１０２によって選択された信号源に応じて、無線ネットワーク１００を介してマルチメディアセンター１１に信号を伝送するために使用され、それによってマルチメディアセンター１１は、対応するマルチメディアデータを出力する。信号処理モジュール１０４は、信号伝送モジュール１０３によって受信されたマルチメディアデータを処理して、音声信号または画像信号を生成するために使用される。信号出力モジュール１０５は、信号処理モジュール１０４によって生成された音声信号または画像信号を出力するために使用される。当然ながら、信号出力モジュール１０５は、音声・信号出力モジュール１０５０と、画像・信号出力モジュール１０５１とを備えなければならない。音声・画像再生部１０６は、信号出力モジュール１０５によって出力された音声信号または画像信号を受け入れ再生するために使用される。
【発明の開示】
【発明が解決しようとする課題】
【０００５】
上記を鑑みると、前述の開示される無線マルチメディア再生システムは、単にマルチメディアデータを再生することができるだけであって、遠隔データ共有、非メディアファイルの管理、データの同時編集／処理などの消費者の要求を満たすことができない。さらに、マルチメディアセンター１１は、信号処理モジュール１１１を機能させる必要があることから、マルチメディア装置１０は、マルチメディアセンター１１の付近でしか機能しない。したがって、マルチメディア装置１０の可動領域は限定される。
【課題を解決するための手段】
【０００６】
本発明は、遠隔データ共有、非メディアファイルの管理、およびデータの同時編集／処理の機能を提供可能な無線携帯マルチメディアプレーヤーに関する。
【０００７】
また、本発明は、従来の無線マルチメディア再生システムよりも大きい可動領域を有する無線携帯マルチメディアプレーヤーに関する。
【発明の効果】
【０００８】
また、本発明は、マルチメディアデータを再生し、無線携帯マルチメディアプレーヤーのためのデータを読み込む方法に関する。本方法を使用することによって、無線携帯マルチメディアプレーヤーは、遠隔データ共有、非メディアファイルの管理、およびデータの同時編集／処理の機能を有することができる。
【０００９】
また、本発明は、マルチメディアデータを再生し、無線携帯マルチメディアプレーヤーのためのデータを読み込む方法に関する。本方法を使用することによって、無線携帯マルチメディアプレーヤーの可動領域は、従来の無線マルチメディア再生システムの可動領域よりも大きくなる。
【００１０】
上述およびその他の目的に基づき、本発明は、無線携帯マルチメディアプレーヤーを提供する。無線携帯マルチメディアプレーヤーは、無線ネットワークモジュールと、マルチメディア再生部と、データ処理モジュールと、制御部とを備える。マルチメディア再生部は、マルチメディアデータの再生に使用される。データ処理モジュールは、無線ネットワークモジュールと、マルチメディア再生部とに接続され、データ処理モジュールによって受信されたデータを制御、管理、および処理する。制御部は、無線ネットワークモジュールと、データ処理モジュールとに接続され、ユーザーからの操作コマンドに応じて、データ処理モジュールによって受信されたデータを制御、管理、および処理するように、データ処理モジュールを制御する。さらに、制御部は、ユーザーからの操作コマンドに応じて、既定端末をリンクしてデータにアクセスするように、無線ネットワークモジュールを起動するか否かを決定する。
【００１１】
上述およびその他の目的に基づき、本発明は、マルチメディアデータを再生し、無線携帯マルチメディアプレーヤーのためのデータを読み込む方法を提供する。本方法は、次のステップを含む。まず、無線ネットワークが作動される。次に、既定端末へのネットワーク接続が確立される。次に、仮想データシステムのコンテンツ一覧が読み込まれる。その後、コンテンツ一覧における選択されたデータが読み込まれる。その後、選択されたデータは、選択されたデータのフォーマットに応じて処理される。
【００１２】
本発明の一実施形態によると、無線ネットワークモジュールは、無線伝送モジュールと、ネットワークモジュールとを備える。無線伝送モジュールは、データ処理モジュールに接続される。ネットワークモジュールは、無線伝送モジュールと、データを伝送するために既定端末をリンクするように、無線伝送モジュールを制御するための制御部とに接続される。
【００１３】
本発明の一実施形態によると、無線携帯マルチメディアプレーヤーは、データ判断モジュールをさらに備える。データ判断モジュールは、データ処理モジュールとマルチメディア再生部との間に接続されて、かつ制御部に接続されて、データ処理モジュールの出力がマルチメディアデータであるか否かを判断し、ここでその判断が肯定の場合、データ判断モジュールは、データを再生するマルチメディア再生部にそのデータを伝送し、その判断が否定の場合、データ判断モジュールは、そのデータを制御部に伝送して、ユーザーからの操作コマンドに応じて、データ判断モジュールによって伝送されたデータに関する操作を実行することによって、実行結果が入手され、その実行結果に応じてデータを制御および管理するようにデータ処理モジュールを制御するようにする。
【００１４】
本発明の一実施形態によると、無線携帯マルチメディアプレーヤーは、仮想データシステムをさらに備える。仮想データシステムは、既定端末の共有データのリンクパスを保存するために使用される。
【００１５】
本発明は、無線携帯マルチメディアプレーヤーにおいて、ネットワークモジュールおよびデータ処理モジュールを利用し、データ処理モジュールは、データ処理モジュールによって受信されたデータを制御、管理、および処理することができる。さらに、本発明は、無線携帯マルチメディアプレーヤーにインストールされた仮想データシステムを利用する。したがって、無線携帯マルチメディアプレーヤーは遠隔データ共有、非メディアファイルの管理、およびデータの同時編集／処理に関する機能を有し、ネットワークコンピュータを使用して共有するリソースを実行する効果と同様の効果を達成することができる。さらに、共有データの提供に使用されるコンピュータまたはサーバーは、信号を処理する必要がなく、信号処理モジュールを必要としないため、無線携帯マルチメディアプレーヤー機能の可動領域は、従来の無線マルチメディアプレーヤーの可動領域よりも大きくなる。すなわち、本発明によると、コンピュータまたはサーバーがデータ共有について許可される場合、コンピュータまたはサーバーへのネットワーク接続が確立され、共有データを使用することができる。
【００１６】
本発明に関する前述およびその他の目的、特徴、利点を理解し易くするために、図面を参照していくつかの実施形態を以下に詳細に説明する。
【００１７】
添付の図面は、本発明に関してさらなる理解を提供するように含まれており、本明細書に組み込まれて、本明細書の一部分を成す。図面は、以下の記載と共に本発明の実施形態を示し、本発明の原理を説明する役割を果たす。
【発明を実施するための最良の形態】
【００１８】
図２は、本発明の一実施形態に係る、無線携帯マルチメディアプレーヤー２００を示す概略回路ブロック図である。図２を参照すると、無線携帯マルチメディアプレーヤー２００は、制御部２１０と、データ処理モジュール２２０と、マルチメディア再生部２３０と、無線ネットワークモジュール２４０とを主に備える。マルチメディア再生部２３０は、マルチメディアデータを再生するために使用され、無線ネットワークモジュール２４０は、既定端末（図示せず）へのネットワーク接続を確立するために使用される。データ処理モジュール２２０は、無線ネットワークモジュール２４０とマルチメディア再生部２３０とに接続され、データ処理モジュール２２０によって受信されたデータを制御、管理、および処理する。制御部２１０は、無線ネットワークモジュール２４０と、データ処理モジュール２２０とに接続され、ユーザーからの操作コマンドＣＳに応じて、データ処理モジュール２２０によって受信されたデータを制御、管理、および処理するように、データ処理モジュール２２０を制御する。さらに、制御部２１０は、操作コマンドＣＳに応じて既定端末をリンクしてデータにアクセスするように、無線ネットワークモジュール２４０を作動させるか否かを決定する。
【００１９】
上述の無線ネットワークモジュール２４０は、ネットワークモジュール２４１と、無線伝送モジュール２４２とを備える。無線伝送モジュール２４２は、データ処理モジュール２２０に接続され、ネットワークモジュール２４１は、無線伝送モジュール２４２と制御部２１０とに接続されて、既定端末をリンクしてデータを伝送するように、無線伝送モジュール２４２を制御する。
【００２０】
さらに、無線携帯マルチメディアプレーヤー２００は、データ判断モジュール２５０と、仮想データシステム２６０と、組み込みデータシステム２７０と、表示部２８０と、ユーザーインターフェース２９０とをさらに備える。データ判断モジュール２５０は、データ処理モジュール２２０とマルチメディア再生部２３０との間に接続されて、かつ制御部２１０に接続されて、データ処理モジュール２２０の出力がマルチメディアデータであるか否かを判断する。その判断が肯定の場合、データ判断モジュール２５０は、データを再生するマルチメディア再生部２３０にそのデータを伝送する。その判断が否定の場合、データ判断モジュール２５０は、操作コマンドＣＳに応じてデータ判断モジュール２５０によって伝送されたデータに関する操作を制御部２１０が実行するように、そのデータを制御部２１０に伝送し、実行結果が入手され、その実行結果に応じてデータを制御および管理するようにデータ処理モジュール２２０をさらに制御する。仮想データシステム２６０は、ホストデータシステム３０２の共有データのリンクパスを保存するために使用される。組み込みデータシステム２７０は、データ処理モジュール２２０に接続されて、データを保存する。表示部２８０は、組み込みデータシステム２７０および仮想データシステム２６０のコンテンツ一覧を表示するために使用される。ユーザーインターフェース２９０は、ユーザーによって入力される指示ＩＮを受信して、操作コマンドＣＳを生成するために使用される。
【００２１】
図３は、本発明の一実施形態に係る、無線携帯マルチメディアプレーヤーと端末との間の二地点間無線伝送を示す概略図であり、ここで、参照数字２００は、無線携帯マルチメディアプレーヤー内部の回路ブロックを示し、参照数字３００は、端末内部の主回路ブロックを示す。端末３００は、汎用コンピュータまたはサーバーであり、無線伝送モジュール３０１と、ホストデータシステム３０２とを主に備える。ホストデータシステム３０２は、共有データを提供するために使用される。
【００２２】
無線ネットワーク機能を実行するための指示ＩＮをユーザーが入力すると、制御部２１０は、ユーザーインターフェース２９０によって生成された操作コマンドＣＳに応じて、ネットワークモジュール２４１を作動させる。次に、ユーザーは、端末３００をリンクするための指示ＩＮを入力して、ネットワークモジュール２４１を制御するように制御部２１０にコマンドを出すことが可能で、それによって、ネットワークモジュール２４１は、リンク処理を実行して、無線伝送モジュール２４２を介して端末３００の無線伝送モジュール３０１をリンクし、ネットワーク接続構成を設定する。
【００２３】
ネットワーク接続構成が設定されると、ユーザーは、ホストデータシステム３０２における共有データのコンテンツ一覧を閲覧することができる。ユーザーが、コンテンツ一覧に記載される共有データを使用したい場合、ユーザーは、コンテンツ一覧の指定項目のリンクパスを保存し、ウェブディスクを使用してユーザーがアクセスするように共有データにアクセスできるようにする。当然ながら、ユーザーは、組み込みデータシステム２７０に共有データを直接保存して、データを使用することができる。さらに、端末３００の所有者が、共有データのアクセス権を完全に許可する状況下において、ユーザーは、仮想データシステム２６０をさらに利用して、ホストデータシステム３０２における共有データを同時に管理することができる。すなわち、ユーザーは、ホストデータシステム３０２上でデータのコピーや削除などの操作を実行することができる。操作の結果に関わらず、仮想データシステム２６０に保存されるコンテンツ一覧は、項目毎ベースでホストデータシステム３０２のコンテンツ一覧に対応する。
【００２４】
コンテンツ一覧における指定項目のリンクパスが、仮想データシステム２６０において確立されると、ユーザーは、仮想データシステム２６０のコンテンツ一覧を閲覧し、コンテンツ一覧に記載のデータを選択し、選択されたデータをホストデータシステム３０２から読み込むことができる。選択されたデータは、無線伝送モジュール３０１、無線伝送モジュール２４２、およびデータ処理モジュール２２０を順に介してデータ判断モジュール２５０に伝送されて、データのフォーマットを判断する。
【００２５】
選択されたデータがマルチメディアフォーマットである場合、データ判断モジュール２５０は、そのデータを、データを再生するマルチメディア再生部２３０に直接伝送する。選択されたデータがマルチメディアフォーマットでない場合、データ判断モジュール２５０は、そのデータを制御部２１０に伝送し、ユーザーからの操作コマンドＣＳに応じて、データ判断モジュール２５０によって伝送されたデータに、制御部２１０がデータのコピーや削除などの操作を実行するようにする。したがって、実行結果は入手され、データ処理モジュール２２０は、その実行結果に応じてデータを制御および管理するようにさらに制御される。
【００２６】
上述の実施例によると、選択されたデータの処理形式がコピーや削除である場合、制御部２１０は、仮想データシステム２６０の設定を変更し、選択されたデータの処理形式がコピーや削除でなく保存である場合、制御部２１０は、実行結果の入手後に、選択されたデータを組み込みデータシステム２７０に保存するように、データ処理モジュール２２０を制御する。上記において、処理形式がコピー、削除、または保存であるか否かを制御部２１０が判断するだけと想定される。しかしながら、上記によって本発明を限定することを意図せず、ユーザーは、当然ながら、実際の要求に応じて処理形式を自由に増やすことができる。さらに、回路は、組み込みデータシステム２７０も備えるため、ユーザーは、組み込みデータシステム２７０にあるデータをホストデータシステム３０２にバックアップすることができる。
【００２７】
上述の実施形態を鑑みると、ネットワークモジュール２４１およびデータ処理モジュール２２０は、無線携帯マルチメディアプレーヤー２００において利用され、また、仮想データシステム２６０も、無線携帯マルチメディアプレーヤー２００にインストールされる。したがって、遠隔データ共有、非メディアファイルの管理、データの同時編集／処理を含む機能は、無線携帯マルチメディアプレーヤー２００を使用して実行されることによって、ネットワークコンピュータの機能を使用する場合の効果と同様の効果を達成することができる。さらに、共有データの提供に使用される端末３００は、信号処理モジュールを備える必要がないため、無線携帯マルチメディアプレーヤーは、無線伝送モジュールを有する任意の端末をリンクし、端末における共有データを使用することができる。
【００２８】
上述の実施形態の精神に基づき、本発明は、ローカルエリアネットワーク（ＬＡＮ）およびインターネットにおいて利用可能である。いくつかの実施形態を以下に例示する。
【００２９】
図４は、無線携帯マルチメディアプレーヤーと二つの端末によって構成されるＬＡＮにおけるデータ共有を示す概略図である。ここで、参照数字２００は、同様に、無線携帯マルチメディアプレーヤー内部の回路ブロックを示し、参照数字３００−１および３００−２は、二つの端末３００−１および３００−２内部の主回路ブロックをそれぞれ示す。図３を図４と比較すると、図４の無線携帯マルチメディアプレーヤー２００が、アクセスポイント（ＡＰ）４００（つまり、無線局）を介して、端末３００−１および３００−２によって構成されたＬＡＮをリンクできることが分かる。さらに、端末３００−１と３００−２の所有者が共有データのアクセス権を完全に許可するという状況下において、ユーザーは、仮想データシステム２６０をさらに利用して、ホストデータシステム３０２−１および３０２−２における共有データを同時に管理することができる。
【００３０】
図５は、本発明の一実施形態に係る、無線携帯マルチメディアプレーヤーと端末との間のインターネットにおけるデータ共有を示す概略図である。ここで、参照数字２００は、無線携帯マルチメディアプレーヤー内部の回路ブロックを示し、参照数字５００は、端末内部の主回路ブロックを示す。図３を図５と比較すると、図５の無線携帯マルチメディアプレーヤー２００が、アクセスポイント４００、インターネット６００、およびネットワークケーブル５１０を順に介して端末５００をリンクできることが分かる。端末５００は、ネットワークケーブル５１０を介してインターネット６００をリンクするため、無線伝送モジュールは、端末５００にインストールする必要はない。さらに、端末５００の所有者が共有データのアクセス権を完全に許可するという状況下において、ユーザーは、仮想データシステム２６０をさらに利用し、ホストデータシステム５０２における共有データを同時に管理することができる。
【００３１】
図６は、本発明の一実施形態に係る、無線携帯マルチメディアプレーヤーと複数の端末との間のインターネットにおけるデータ共有を示す概略図である。ここで、参照数字２００は、無線携帯マルチメディアプレーヤー内部の回路ブロックを示し、参照数字５００−１および５００−２は、二つの端末５００−１および５００−２の内部の主回路ブロックをそれぞれ示す。図３を図６と比較すると、図６の無線携帯マルチメディアプレーヤー２００が、アクセスポイント４００、インターネット６００、ネットワークケーブル５１０−１を順に介して端末５００−１をリンクできること、ならびに図６の無線携帯マルチメディアプレーヤー２００が、アクセスポイント４００、インターネット６００、ネットワークケーブル５１０−２を順に介して端末５００−２をリンクできることが分かる。さらに、端末５００−１および５００−２の所有者が共有データのアクセス権を完全に許可するという状況下において、ユーザーは、仮想データシステム２６０をさらに利用し、ホストデータシステム５０２−１および５０２−２における共有データを同時に管理することができる。
【００３２】
図７は、インターネットのデータ共有が、無線携帯マルチメディアプレーヤーと端末との間で実行されることを示す概略図である。ここで、参照数字２００は、無線携帯マルチメディアプレーヤー内部の回路ブロックを示し、参照数字３００は、端末内部の主回路ブロックを示す。図３を図７と比較すると、図７の無線携帯マルチメディアプレーヤー２００が、アクセスポイント４００、インターネット６００、アクセスポイント７００を順に介して端末３００をリンクできることが分かる。さらに、端末３００の所有者が共有データのアクセス権を完全に許可するという状況下において、ユーザーは、仮想データシステム２６０をさらに利用し、ホストデータシステム３０２における共有データを同時に管理することができる。
【００３３】
図８は、無線携帯マルチメディアプレーヤーと複数の端末との間のインターネットにおけるデータ共有を示す概略図である。ここで、参照数字２００は、無線携帯マルチメディアプレーヤー内部の回路ブロックを示し、参照数字３００−１および３００−２は、二つの端末３００−１および３００−２の内部の主回路ブロックをそれぞれ示す。図３を図８と比較すると、図８の無線携帯マルチメディアプレーヤー２００が、アクセスポイント４００、インターネット６００、アクセスポイント７００を順に介して端末３００−１および端末３００−２をリンクできることが分かる。さらに、端末３００−１および３００−２の所有者が共有データのアクセス権を完全に許可するという状況下において、ユーザーは、仮想データシステム２６０をさらに利用し、ホストデータシステム３０２−１および３０２−２における共有データを同時に管理することができる。
【００３４】
図９は、無線携帯マルチメディアプレーヤーと複数の端末との間のインターネットにおけるデータ共有を示す概略図である。ここで、参照数字２００は、無線携帯マルチメディアプレーヤー内部の回路ブロックを示し、参照数字３００−１および３００−２は、二つの端末３００−１および３００−２の内部の主回路ブロックをそれぞれ示す。図３を図９と比較すると、図９の無線携帯マルチメディアプレーヤー２００が、アクセスポイント４００、インターネット６００、アクセスポイント７００を順に介して端末３００−１をリンクすること、ならびに図９の無線携帯マルチメディアプレーヤー２００が、アクセスポイント４００、インターネット６００、アクセスポイント８００を順に介して端末３００−２をリンクすることがわかる。さらに、端末３００−１および３００−２の所有者が共有データのアクセス権を完全に許可するという状況下において、ユーザーは、仮想データシステム２６０をさらに利用し、ホストデータシステム３０２−１および３０２−２における共有データを同時に管理することができる。
【００３５】
ＬＡＮおよびインターネットを使用することによってデータを共有する上述の実施例において、ユーザーは、ドメイン名を入力して指定端末を検索することによって、あるいは指定端末のインターネットプロトコル（ＩＰ）アドレスを入力することによって、指定端末をリンクすることができる。さらに、上述の実例における端末の数は、本発明を限定することを意図していない。
【００３６】
上述の実施形態によると、無線携帯マルチメディアプレーヤーを使用してデータを共有するネットワーク構成を設定する基本的操作は、図１０に示されるようにまとめることができる。図１０は、本発明の一実施形態に係る、データ共有のためのネットワーク構成を設定する操作フローチャートである。図１０を参照すると、まず、ステップ１００１で、無線ネットワークモジュールが作動される。次に、ステップ１００２で、既定端末へのネットワーク接続が確立される。ステップ１００２は、ステップ１００２−１と１００２−２に分けられる。まず、ステップ１００２−１で、ドメイン名の検索またはＩＰアドレスの入力が実行される。次に、ステップ１００２−２で、ネットワーク接続構成が設定される。次に、ステップ１００３で、共有のコンテンツ一覧が閲覧される。その後、ステップ１００４で、コンテンツ一覧における指定項目のリンクパスは、仮想データシステムに保存される。
【００３７】
上述の実施形態によると、無線携帯マルチメディアプレーヤーを使用してデータを処理する基本的操作は、図１１に示されるようにまとめることができる。図１１は、本発明の一実施形態に係る、データ処理の操作フローチャートである。図１１を参照すると、まず、ステップ１１０１で、無線ネットワークモジュールが作動される。次に、ステップ１１０２で、既定端末へのネットワーク接続が確立される。ステップ１１０２は、ステップ１１０２−１と１１０２−２に分けられる。まず、ステップ１１０２−１で、ドメイン名の検索またはＩＰアドレスの入力が実行される。次に、ステップ１１０２−２で、ネットワーク接続構成が設定される。次に、ステップ１１０３で、仮想データシステムにおけるコンテンツ一覧が読み込まれる。その後、ステップ１１０４で、コンテンツ一覧における選択されたデータが読み込まれる。ステップ１１０４は、ステップ１１０４−１とステップ１１０４−２に分けられる。まず、ステップ１１０４−１で、コンテンツ一覧に記載のデータが選択される。次に、ステップ１１０４−０２で、選択されたデータが既定端末から読み込まれる。
【００３８】
既定端末の選択されたデータを読み込んだ後、ステップ１１０５で、選択されたデータがマルチメディアフォーマットであるか否かが判断される。その判断が肯定の場合、選択されたデータは、ステップ１１０６で再生される。その判断が否定の場合、選択されたデータは、選択されたデータの処理形式に応じてステップ１１０７で処理される。ステップ１１０７は、いくつかのステップに分けられる。まず、ステップ１１０８で、選択されたデータの処理形式がコピーまたは削除であるか否かが判断される。その判断が肯定の場合、仮想データシステムの設定は、ステップ１１０９で変更される。その判断が否定の場合、選択されたデータは、ステップ１１１０で組み込みデータシステムに保存される。
【００３９】
図１１に記載の操作フローチャートは、単に、処理形式がコピー、削除、または保存であるか否かを判断する基本的な例であって、本発明を限定することを意図しない。ユーザーは、当然ながら、実際の要求に応じて処理形式を自由に増やすことができる。
【００４０】
まとめると、本発明は、無線携帯マルチメディアプレーヤーにおいて、ネットワークモジュールおよびデータ処理モジュールを利用し、データ処理モジュールは、データ処理モジュールによって受信されたデータを制御、管理、および処理することができる。さらに、本発明は、無線携帯マルチメディアプレーヤーにインストールされた仮想データシステムを利用する。したがって、無線携帯マルチメディアプレーヤーは遠隔データ共有、非メディアファイルの管理、およびデータの同時編集／処理に関する機能を有し、ネットワークコンピュータを使用してリソース共有を実行する場合の効果と同様の効果を達成することができる。さらに、データを共有するために使用されるコンピュータまたはサーバーは、信号を処理する必要がなく、信号処理モジュールを必要としないため、無線携帯マルチメディアプレーヤー機能の可動領域は、従来の無線携帯マルチメディアプレーヤーの可動領域よりも大きくなる。すなわち、コンピュータまたはサーバーが、データ共有について許可される場合、本発明は、コンピュータまたはサーバーへのネットワーク接続を確立し、共有データを使用することができる。
【００４１】
上述の実施形態を参照して本発明を説明したが、本発明の精神から逸脱することなく説明された実施形態に修正を加えることできるということは、当業者にとって明白であろう。したがって、本発明の範囲は、上述の詳細説明によって定義されるのではなく、添付の請求項によって定義される。
【図面の簡単な説明】
【００４２】
【図１】従来の無線マルチメディア再生システムの概略回路ブロック図である。
【図２】本発明の一実施形態に係る、無線携帯マルチメディアプレーヤーの概略回路ブロック図である。
【図３】無線携帯マルチメディアプレーヤーと端末との間の二地点間無線伝送を示す概略図である。
【図４】本発明の一実施形態に係る、無線携帯マルチメディアプレーヤーと二つの端末とによって構成されるＬＡＮにおけるデータ共有を示す概略図である。
【図５】本発明の一実施形態に係る、無線携帯マルチメディアプレーヤーと端末との間のインターネットにおけるデータ共有を示す概略図である。
【図６】本発明の別の実施形態に係る、無線携帯マルチメディアプレーヤーと複数の端末の間のインターネットにおけるデータ共有を示す概略図である。
【図７】本発明のさらに別の実施形態に係る、無線携帯マルチメディアプレーヤーと端末との間のインターネットにおけるデータ共有を示す概略図である。
【図８】本発明のさらに別の実施形態に係る、無線携帯マルチメディアプレーヤーと複数の端末との間のインターネットにおけるデータ共有を示す概略図である。
【図９】本発明のさらに別の実施形態に係る、無線携帯マルチメディアプレーヤーと端末との間のインターネットにおけるデータ共有を示す概略図である。
【図１０】本発明の一実施形態に係る、データ共有のためのネットワーク接続構成を設定する操作フローチャートである。
【図１１】本発明の一実施形態に係る、データ処理の操作フローチャートである。
【符号の説明】
【００４３】
１０    マルチメディア装置
１１    マルチメディアセンター
１００  無線ネットワーク
１０１  入力インターフェース
１０２  信号選択モジュール
１０３  信号伝送モジュール
１０４  信号処理モジュール
１０５  信号出力モジュール
１０６  音声・画像再生部
１１０  信号伝送モジュール
１１１  信号処理モジュール
２００  無線携帯マルチメディアプレーヤー
２１０  制御部
２２０  データ処理モジュール
２３０  マルチメディア再生部
２４０  無線ネットワークモジュール
２４１  ネットワークモジュール
２４２  無線伝送モジュール
２５０  データ判断モジュール
２６０  仮想データシステム
２７０  込みデータシステム
２８０  表示部
２９０  ユーザーインターフェース
３０１  無線伝送モジュール
３０２  ホストデータシステム
４００  アクセスポイント
５０２  ホストデータシステム
５１０  ネットワークケーブル
６００  インターネット
７００  アクセスポイント
８００  アクセスポイント
【図１】
2008301479.tif 000003
【図２】
2008301479.tif 000004
【図３】
2008301479.tif 000005
【図４】
2008301479.tif 000006
【図５】
2008301479.tif 000007
【図６】
2008301479.tif 000008
【図７】
2008301479.tif 000009
【図８】
2008301479.tif 000010
【図９】
2008301479.tif 000011
【図１０】
2008301479.tif 000012
【図１１】
2008301479.tif 000013